(57)【要約】【課題】受験する大学入試を選択しスケジューリングを行う受験生をサポート（支援）することを目的とする。【解決手段】  受験サポートシステムは、互いにネットワークを介して接続される、表示部を備えるユーザ端末装置とサーバ装置とを有し、複数の学校の入試に関する入試マスタ情報を記憶する入試マスタ記憶手段と、前記入試を選択するための選択条件を、前記ユーザ端末装置から取得する選択条件取得手段と、前記入試マスタ情報から、前記選択条件を満たす入試を候補入試として抽出する抽出手段と、前記候補入試に関する情報を、前記表示部に表示させる表示手段とを備え、前記入試マスタ情報は、各入試の入試会場の場所を含み、前記選択条件は、入試会場の場所を含み、前記表示手段は、前記候補入試に関する情報を、当該候補入試を行う学校ごとにまとめて表示する。【選択図】図２
2018010478.tif 000002
【特許請求の範囲】
【請求項１】
互いにネットワークを介して接続される、表示部を備えるユーザ端末装置とサーバ装置とを有する受験サポートシステムであって、
複数の学校の入試に関する入試マスタ情報を記憶する入試マスタ記憶手段と、
前記入試を選択するための選択条件を、前記ユーザ端末装置から取得する選択条件取得手段と、
前記入試マスタ情報から、前記選択条件を満たす入試を候補入試として抽出する抽出手段と、
前記候補入試に関する情報を、前記表示部に表示させる表示手段とを備え、
前記入試マスタ情報は、各入試の入試会場の場所を含み、
前記選択条件は、入試会場の場所を含み、
前記表示手段は、前記候補入試に関する情報を、当該候補入試を行う学校ごとにまとめて表示する
ことを特徴とする受験サポートシステム。
【請求項２】
前記入試マスタ情報は、更に、各入試の合格可能性が所定以上である偏差値と、各入試の願書受付期間とを含み、
前記選択条件は、更に、偏差値の最小値と最大値、および、願書提出予定期間とを含み、
前記抽出手段は、前記入試マスタ情報の偏差値が前記選択条件の偏差値の範囲内であって、願書提出予定期間開始日が願書受付終了日以前かつ、願書提出予定期間終了日が願書受付開始日以降である入試を候補入試として抽出する
ことを特徴とする請求項１に記載の受験サポートシステム。
【請求項３】
前記入試マスタ情報は、更に、各入試の実施日を含み、
前記表示手段は、月日を横軸に取るとともに前記候補入試を縦軸に取り、前記候補入試の前記願書受付期間および実施日である試験日を、それぞれ示す画像で表したチャートを前記表示部に表示させる
ことを特徴とする請求項２に記載の受験サポートシステム。
【請求項４】
前記入試日が同じ日である前記候補入試は、他の入試日を表す画像と表示態様を異ならせて表示する
ことを特徴とする請求項３に記載の受験サポートシステム。
【請求項５】
前記入試マスタ情報は、更に、各学校のキャンパスの場所とオープンキャンパスの開催日とを含み、
前記選択条件は、更に、表示期間を含み、
前記抽出手段は、前記選択条件の表示期間に前記開催日が含まれるオープンキャンパスを候補キャンパスとして抽出し、
前記表示手段は、曜日を横軸に取った表形式のカレンダーであって、前記開催日に対応する領域に、当該開催日の学校名およびキャンパス名を表示させたカレンダーを前記表示部に表示させる
ことを特徴とする請求項１に記載の受験サポートシステム。
【請求項６】
前記表示手段が表示させた画像のＤＴＰデータを作成するＤＴＰ作成手段を更に備え、
前記ＤＴＰデータは、前記表示手段が表示させたカレンダーを、Ｂ全サイズまでのカレンダーとして印刷するためのデータである
ことを特徴とする請求項５に記載の受験サポートシステム。
【請求項７】
互いにネットワークを介して接続される、表示部を備えるユーザ端末装置とサーバ装置とを有する受験サポートシステムで用いられる受験サポートプログラムであって、
複数の学校の入試に関する入試マスタ情報を記憶する入試マスタ記憶手段と、
前記入試を選択するための選択条件を、前記ユーザ端末装置から取得する選択条件取得手段と、
前記入試マスタ情報から、前記選択条件を満たす入試を候補入試として抽出する抽出手段と、
前記候補入試に関する情報を、前記表示部に表示させる表示手段として、コンピュータを機能させ、
前記入試マスタ情報は、各入試の入試会場の場所を含み、
前記選択条件は、入試会場の場所を含み、
前記表示手段は、前記候補入試に関する情報を、当該候補入試を行う学校ごとにまとめて表示する
ことを特徴とする受験サポートプログラム。
【請求項８】
方法
互いにネットワークを介して接続される、表示部を備えるユーザ端末装置と複数の学校の入試に関する入試マスタ情報を記憶する入試マスタ記憶手段を備えるサーバ装置とを有する受験サポートシステムで用いられる受験サポート方法であって、
前記入試を選択するための選択条件を、前記ユーザ端末装置から取得する選択条件取得ステップと、
前記入試マスタ情報から、前記選択条件を満たす入試を候補入試として抽出する抽出ステップと、
前記候補入試に関する情報を、前記表示部に表示させる表示ステップとを備え、
前記入試マスタ情報は、各入試の入試会場の場所を含み、
前記選択条件は、入試会場の場所を含み、
前記表示ステップでは、前記候補入試に関する情報を、当該候補入試を行う学校ごとにまとめて表示する
ことを特徴とする受験サポート方法。
【発明の詳細な説明】
【技術分野】
【０００１】
本発明は、ネットワークを利用して、受験する入学試験の選択を支援する技術に関する。
【背景技術】
【０００２】
近年、インターネットを利用して、様々な情報提供サービスが行われており、例えば、大学に進学を希望する者が、受験する大学を選ぶためのサービスが行われている。
【０００３】
例えば、ユーザが入力した入学試験についての検索条件リストに基づいて、検索条件に合致する大学のリストを配信する技術がある（特許文献１）。この技術では、リストに記載された大学の数が、ユーザの所望する数に近い数の大学数となるように、実際にリストを配信する前に、検索された大学の数を通知し、検索条件を修正して大学の数を変更する機会を提供する。この技術によれば、ユーザは、所望の数の中から、受験する大学を選ぶことが可能になる。
【先行技術文献】
【特許文献】
【０００４】
【特許文献１】特開２００２−３４２４６６号公報
【発明の概要】
【発明が解決しようとする課題】
【０００５】
ここで、近年の大学入試は、受験科目、試験会場、日程等の多様化が進んでおり、受験生は、各大学が提供している入試に関する膨大な情報の中から、実際に入学試験を受ける大学を選択する必要がある。従って、受験生自らが、膨大な入試に関する情報を元に、漏れが無いように、希望する大学のどの入試をいつ受験するかをスケジューリングしなければならない。
【０００６】
そこで、本発明は、受験する大学入試を選択しスケジューリングを行う受験生をサポート（支援）することを目的とする。
【課題を解決するための手段】
【０００７】
本発明にかかる一態様の受験サポートシステムは、互いにネットワークを介して接続される、表示部を備えるユーザ端末装置とサーバ装置とを有する受験サポートシステムであって、複数の学校の入試に関する入試マスタ情報を記憶する入試マスタ記憶手段と、前記入試を選択するための選択条件を、前記ユーザ端末装置から取得する選択条件取得手段と、前記入試マスタ情報から、前記選択条件を満たす入試を候補入試として抽出する抽出手段と、前記候補入試に関する情報を、前記表示部に表示させる表示手段とを備え、前記入試マスタ情報は、各入試の入試会場の場所を含み、前記選択条件は、入試会場の場所を含み、前記表示手段は、前記候補入試に関する情報を、当該候補入試を行う学校ごとにまとめて表示することを特徴とする。
【０００８】
このような構成の受験サポートシステムによれば、入試会場の所在地を検索条件として入試を選択できるので、実際の大学の所在地に関わらず、所望する場所で行われる入試を知ることが可能となる。
【０００９】
また、上述の受験サポートシステムにおいて、前記入試マスタ情報は、更に、各入試の合格可能性が所定以上である偏差値と、各入試の願書受付期間とを含み、前記選択条件は、更に、偏差値の最小値と最大値、および、願書提出予定期間とを含み、前記抽出手段は、前記入試マスタ情報の偏差値が前記選択条件の偏差値の範囲内であって、願書提出予定期間開始日が願書受付終了日以前かつ、願書提出予定期間終了日が願書受付開始日以降である入試を候補入試として抽出することが好ましい。
【００１０】
この構成によれば、期間的に願書を提出することが可能で、合格の可能性がある入試を知ることができるので、合格できたかも知れないのに願書を提出できなかったという事態を避けることが可能となる。
【００１１】
また、上述の受験サポートシステムにおいて、前記入試マスタ情報は、更に、各入試の実施日を含み、前記表示手段は、月日を横軸に取るとともに前記候補入試を縦軸に取り、前記候補入試の前記願書受付期間および実施日である試験日を、それぞれ示す画像で表したチャートを前記表示部に表示させることが好ましい。
【００１２】
また、上述の受験サポートシステムにおいて、前記入試日が同じ日である前記候補入試は、他の入試日を表す画像と表示態様を異ならせて表示することが好ましい。
【００１３】
この構成によれば、複数の入試のスケジュールがガントチャートで表示されるので、願書提出期間、試験日等のスケジュールを把握することが容易となる。従って、スケジューリングが容易となり、例えば、試験日が重なるなどにより入試を受けることができない等の事態を避けることが可能となる。
【００１４】
また、上述の受験サポートシステムにおいて、前記入試マスタ情報は、更に、各学校のキャンパスの場所とオープンキャンパスの開催日とを含み、前記選択条件は、更に、表示期間を含み、前記抽出手段は、前記選択条件の表示期間に前記開催日が含まれるオープンキャンパスを候補キャンパスとして抽出し、前記表示手段は、曜日を横軸に取った表形式のカレンダーであって、前記開催日に対応する領域に、当該開催日の学校名およびキャンパス名を表示させたカレンダーを前記表示部に表示させることが好ましい。
【００１５】
また、上述の受験サポートシステムにおいて、前記表示手段が表示させた画像のＤＴＰデータを作成するＤＴＰ作成手段を更に備え、前記ＤＴＰデータは、前記表示手段が表示させたカレンダーを、Ｂ全サイズまでのカレンダーとして印刷するためのデータであることが好ましい。
【００１６】
この構成によれば、所望する大学のオープンキャンパスの開催日が表示されたカレンダーが作成されるので、オープンキャンパスの日程を容易に把握することが可能となる。従って、受験生は、所望する大学のオープンキャンパスに漏れなく参加することが可能となる。
【発明の効果】
【００１７】
本発明にかかる受験サポートシステムを用いることによって、受験生が容易に入試のスケジューリングを行うことができる。
【図面の簡単な説明】
【００１８】
【図１】実施形態にかかる受験サポートシステムの構成例を示す図である。
【図２】実施形態にかかる受験サポートシステムの機能ブロック図である。
【図３】受験マスタ情報テーブルの構成及び内容の例を示す図である。
【図４】オープンキャンパス情報テーブルの構成及び内容の例を示す図である。
【図５】希望校選択処理のフローチャートである。
【図６】オープンキャンパス処理のフローチャートである。
【図７】行事出力処理のフローチャートである。
【図８】入試スケジュール処理のフローチャートである。
【図９】出願校選択処理のフローチャートである。
【図１０】希望校条件入力画面の例を示す図である。
【図１１】希望校出力画面の例を示す図である。
【図１２】オープンキャンパス条件入力画面の例を示す図である。
【図１３】オープンキャンパスカレンダー画面の例を示す図である。
【図１４】入試スケジュール条件入力画面の例を示す図である。
【図１５】入試スケジュールチャート画面の例を示す図である。
【図１６】出願校条件入力画面の例を示す図である。
【図１７】出願校出力画面の例を示す図である。
【図１８】印刷したオープンキャンパスカレンダーの例を示す図である。
【発明を実施するための形態】
【００１９】
＜実施形態＞
実施形態の受験サポートシステム１００は、受験生が条件を入力することにより、所望の大学の入試を抽出し一覧表示する。また、抽出された入試の日程をまとめてガントチャートの形式で表示するものである。ここで、ガントチャートとは、生産設備におけるスケジュール管理を行うためのものであり、時間を横軸に取るとともに複数の設備を縦軸に取り、複数の処理工程を、工程の時間幅に対応する長方形枠（ジョブ枠）で表したものである。受験サポートシステム１００は、後述する図１５に示すように、時間（月日）を横軸に取るとともに、複数の入試を縦軸に取り、各入試の願書受付期間、試験日、発表日などを示すマーク（画像）を表したチャート（以下、「入試スケジュールチャート」という。）を作成する。
【００２０】
また更に、受験サポートシステム１００は、受験生が条件を入力することにより、所望の大学で開催予定のオープンキャンパスの日程をまとめたカレンダー（以下、「オープンキャンパスカレンダー」という。）を表示し、また、そのカレンダーを所望のサイズで印刷することができるものである。
【００２１】
受験生は、本発明である受験サポートシステム１００を起動し、パソコン等の画面に表示される入力画面に入試の条件を入力すれば、入試の一覧や、入試スケジュールチャートを参照することができ、漏れの無い入試のスケジューリングを行うことができる。
【００２２】
また、オープンキャンパスカレンダーを参照すれば、希望の大学のオープンキャンパスの開催日を確実に把握することができ、複数のオープンキャンパスに無駄なく参加することが可能となる。
【００２３】
以下、本発明にかかる実施の一形態を図面に基づいて説明する。
【００２４】
＜構成＞
図１は、受験サポートシステム１００の構成例を示す図である。受験サポートシステム１００は、サーバ装置１０００、ユーザ端末装置２０００、及び、ネットワーク１０１を備える。
【００２５】
サーバ装置１０００は、受験サポートサイトを運営するための、いわゆるサーバ装置である。
【００２６】
ユーザ端末装置２０００Ａ、ユーザ端末装置２０００Ｂ、ユーザ端末装置２０００Ｃは、受験生（以下、「ユーザ」という。）が有する、いわゆるパソコン等の端末装置である。以下、ユーザ端末装置２０００Ａ、Ｂ、Ｃを総称して、ユーザ端末装置２０００という。尚、図１では、説明の便宜上、ユーザ端末装置２０００として３つを記載しているが、これらの数に限られない。
【００２７】
ユーザ端末装置２０００は、インターネット等の広域ネットワークであるネットワーク１０１を介して、サーバ装置１０００と接続される。
【００２８】
ユーザ端末装置２０００は、例えば、Ｗｅｂブラウザ機能を有し、サーバ装置１０００にＨＴＴＰ（Ｈｙｐｅｒ  Ｔｅｘｔ  Ｔｒａｎｓｆｅｒ  Ｐｒｏｔｏｃｏｌ）リクエストを送信し、そのレスポンスとしてＷｅｂページ等の表示データを受信して、入試の条件を入力する画面等をディスプレイに表示する。一方、サーバ装置１０００は、ユーザ端末装置２０００からのリクエストに応じて、Ｗｅｂページ等の表示データを作成してユーザ端末装置２０００に送信する。
【００２９】
次に、図２を用いて、サーバ装置１０００、及び、ユーザ端末装置２０００の構成を説明する。図２は、受験サポートシステムの機能ブロック図である。
【００３０】
サーバ装置１０００は、制御部１１００、通信部１２００、希望校検索部１３００、オープンキャンパス日程作成部１４００、入試スケジュール作成部１５００、出願校検索部１６００、入試マスタ情報記憶部１７００、オープンキャンパス情報記憶部１８００、及び、ＤＴＰデータ作成部１９００を備える。
【００３１】
制御部１１００は、他の機能部を制御して、受験を支援するためのデータを作成するための処理を行う。
【００３２】
通信部１２００は、ネットワーク１０１を介して、ユーザ端末装置２０００と通信する。
【００３３】
希望校検索部１３００は、ユーザ端末装置２０００からの依頼に応じて、ユーザ端末装置２０００からユーザが設定した条件を取得し、条件に合致した入試を入試マスタ情報記憶部１７００から抽出し、抽出した入試を一覧表示するための表示データを作成してユーザ端末装置２０００に送信する。
【００３４】
オープンキャンパス日程作成部１４００は、ユーザ端末装置２０００からの依頼に応じて、ユーザ端末装置２０００からユーザが設定した条件を取得し、条件に合致したオープンキャンパスの情報をオープンキャンパス情報記憶部１８００から抽出し、抽出したオープンキャンパスの情報をカレンダー形式で表したオープンキャンパスカレンダーの表示データを作成してユーザ端末装置２０００に送信する。
【００３５】
入試スケジュール作成部１５００は、ユーザ端末装置２０００からの依頼に応じて、ユーザ端末装置２０００からユーザが設定した条件を取得し、条件に合致した入試を入試マスタ情報記憶部１７００から抽出し、抽出した入試の日程をガントチャート形式で表した入試スケジュールチャートの表示データを作成してユーザ端末装置２０００に送信する。また、入試スケジュール作成部１５００は、ユーザ端末装置２０００から、予めユーザが「お気に入りの入試」として選択した入試を取得し、取得した入試の日程を表した入試スケジュールチャートの表示データを作成してユーザ端末装置２０００に送信する。
【００３６】
出願校検索部１６００は、ユーザ端末装置２０００からの依頼に応じて、ユーザ端末装置２０００からユーザが設定した条件を取得し、条件に合致した入試を入試マスタ情報記憶部１７００から抽出し、抽出した入試を一覧表示するための表示データを作成してユーザ端末装置２０００に送信する。
【００３７】
ＤＴＰデータ作成部１９００は、ユーザ端末装置２０００からの依頼に応じて、オープンキャンパス日程作成部１４００が作成したオープンキャンパスカレンダーの表示データから、ユーザが所望するサイズのオープンキャンパスカレンダーのＤＴＰ（Ｄｅｓｋ  Ｔｏｐ  Ｐｕｂｌｉｓｈｉｎｇ）データを作成し、ユーザ端末装置２０００に送信する。
【００３８】
入試マスタ情報記憶部１７００は、複数の大学毎に、各大学の入試に関する情報をそれぞれ記憶する。大学本部の所在地、キャンパスの所在地、学部、学科などの他、入学試験に関する情報、例えば、試験の種類、試験科目、願書の受付期間、試験日、発表日、入学手続期間などを記憶する。
【００３９】
オープンキャンパス情報記憶部１８００は、複数の大学がそれぞれ開催する予定のオープンキャンパスに関する情報を記憶する。オープンキャンパスが開催されるキャンパス名、開催される日時などを記憶する。
【００４０】
次に、ユーザ端末装置２０００は、通信部２１００、入出力部２２００、大学選択サポート処理部２３００、及び、お気に入り入試記憶部２４００を備える。
【００４１】
通信部２１００は、ネットワーク１０１を介して、サーバ装置１０００と通信する。
【００４２】
入出力部２２００は、表示部、及び、入力部を備える。表示部は、記憶部に記憶されているデータや、プログラムによるＧＵＩ（Ｇｒａｐｈｉｃａｌ  Ｕｓｅｒ  Ｉｎｔｅｒｆａｃｅ）等を出力する機器であり、例えば、ＬＣＤ（Ｌｉｑｕｉｄ  Ｃｒｙｓｔａｌ  Ｄｉｓｐｌａｙ）ディスプレイ、有機ＥＬ（Ｅｌｅｃｔｒｏ  Ｌｕｍｉｎｅｓｃｅｎｃｅ）ディスプレイ等の表示装置である。入力部は、さまざまな操作指示を管理サーバ装置１０００に入力する機器、例えば、キーボード、マウス、タッチパネル等である。
【００４３】
大学選択サポート処理部２３００は、サーバ装置１０００の各機能部と通信を行って、大学入試の選択をサポートするための一覧やオープンキャンパスカレンダーなどを表示部に表示させる。また、ユーザの指示により、指定された入試をお気に入り入試記憶部２４００に記憶させる。受験サポートシステム１００を利用するユーザは、大学選択サポート処理部２３００を、予め、サーバ装置１０００からダウンロードしておくものとする。
【００４４】
お気に入り入試記憶部２４００は、ユーザにより指定された「お気に入り入試」を記憶する。記憶する情報は、ユーザが指定した入試を特定できる情報であればよく、例えば、大学名、学部、学科、入試の種類を記憶する。
【００４５】
サーバ装置１０００、ユーザ端末装置２０００は、上述のようにいわゆるコンピュータで構成され、それぞれハードディスク等の記憶部（不図示）に格納されているソフトウェアプログラムがＣＰＵ（Ｃｅｎｔｒａｌ  Ｐｒｏｃｅｓｓｉｎｇ  Ｕｎｉｔ）により実行されることによって上述の各機能部の全部又は一部が実現される。
【００４６】
＜データ＞
次に、受験サポートシステム１００で用いる主なデータについて説明する。尚、ここで説明するデータの構成は１例であり、他の項目が含まれ、また、他のデータ構造であっても良い。
【００４７】
図３は、受験マスタ情報テーブル１７１０の構成及び内容の例を示す図である。受験マスタ情報テーブル１７１０は、サーバ装置１０００の入試マスタ情報記憶部１７００に記憶されており、１大学に関するデータを管理するテーブルである。大学毎に、１テーブルが記憶されている。受験マスタ情報テーブル１７１０には、１入試が１レコードとして登録されている。実施形態では、学科、入試の方式、試験会場、試験日などの試験を特定する要素のうち、いずれかが異なれば、異なる入試とする。
【００４８】
受験マスタ情報テーブル１７１０は、大学名１７１１、エリア１７１２、学部１７１３、学科１７１４、入試名１７１５、偏差値１７１６、試験会場１７１７、及び、試験日１７１８を有する。
【００４９】
大学名１７１１は、大学を特定するための名称を示す。
【００５０】
エリア１７１２は、大学名１７１１が示す大学の所在地を示す。実施形態では、都道府県名を示す。
【００５１】
学部１７１３は、大学名１７１１が示す大学の学部を特定するための名称を示す。
【００５２】
学科１７１４は、学部１７１３が示す学部の学科を特定するための名所を示す。
【００５３】
入試名１７１５は、学科１７１４が示す学科の入試の方式を示す。
【００５４】
偏差値１７１６は、学科１７１４が示す学科の入試に合格するボーダーの偏差値を示す。
【００５５】
試験会場１７１７は、学科１７１４が示す学科の入試が行われる会場の所在地を示す。実施形態では、都道府県名を示す。試験会場が複数ある場合は、それそれが１レコード（１入試）として登録される。
【００５６】
試験日１７１８は、学科１７１４が示す学科の入試が行われる月日を示す。例えば、「２／９」は、試験が２月９日に行われることを示す。
【００５７】
図４は、オープンキャンパス情報テーブル１８１０の構成及び内容の例を示す図である。オープンキャンパス情報テーブル１８１０は、サーバ装置１０００のオープンキャンパス情報記憶部１８００に記憶されており、１大学で開催されるオープンキャンパスを管理するテーブルである。大学毎に、１テーブルが記憶されている。
【００５８】
オープンキャンパス情報テーブル１８１０は、大学名１８１１、キャンパス１８１２、及び、日時１８１３を有する。
【００５９】
大学名１８１１は、大学を特定するための名称を示す。
【００６０】
キャンパス１８１２は、大学名１８１１が示す大学のキャンパスを特定するための名称を示す。
【００６１】
日時１８１３は、キャンパス１８１２が示すキャンパスで開催されるオープンキャンパスの開催日時を示す。例えば、「２／９  ０９：００−１７：００」は、２月９日の９時から１７時まで開催されることを示す。
【００６２】
＜動作＞
次に、図５〜図１８を用いて、受験サポートシステム１００が行う処理について説明する。
【００６３】
受験サポートシステム１００は、次の４つの処理を行う機能を備える。１つ目は、希望大学を選択する処理（希望校選択処理）であり、２つ目は、オープンキャンパスカレンダーを作成する処理（オープンキャンパス処理）であり、３つ目は、入試スケジュールチャートを作成する処理（入試スケジュール処理）であり、４つ目は、出願可能な大学を選択する処理（出願校選択処理）である。
【００６４】
受験サポートシステム１００の利用を開始するユーザは、大学選択サポート処理部２３００を起動させ、通信部２１００を介して、受験サポートサイト（サーバ装置１０００）から初期画面を取得して入出力部２２００に表示させる。初期画面には、上記４つの処理にそれぞれ対応付けられたボタンが表示されており、ユーザは行わせたい処理が対応付けられているボタンを押下（タッチ）する。
【００６５】
＜希望校選択処理＞
まず、希望校選択処理から説明する。図５は、希望校選択処理のフローチャートである。
【００６６】
希望する大学の入試を検索しようとするユーザは、初期画面において、希望校選択処理が対応付けられているボタンを押下する。希望校検索処理が対応付けられているボタンの押下を検出した大学選択サポート処理部２３００は、希望校検索処理の実行をサーバ装置１０００に指示する。
【００６７】
サーバ装置１０００の制御部１１００は、通信部１２００を介して、ユーザ端末装置２０００から希望校検索処理の実行指示を受信すると、希望校検索部１３００に実行を指示する。指示を受けた希望校検索部１３００は、希望校条件入力画面ＷＩＮ０１をユーザ端末装置２０００に送信する。
【００６８】
ユーザ端末装置２０００の大学選択サポート処理部２３００は、サーバ装置１０００から希望校条件入力画面ＷＩＮ０１を受信し、入出力部２２００の表示部に表示させる。
【００６９】
図１０に、希望校条件入力画面ＷＩＮ０１の例を示す。希望校条件入力画面ＷＩＮ０１は、希望校の検索条件である検索項目（矢印１０参照）として、「学校種」、「エリア」、「受験会場の希望エリア」、「受験教科」、「偏差値」、「学問」の項目を有し、それぞれの検索項目に対応した入力領域（矢印１１参照）を有する。「学校種」は、大学の種類を示し、国立大学、私立大学、国公立短期大学、私立短期大学が選択肢である。「エリア」とは、大学の所在地を示し、「受験会場の希望エリア」とは、受験会場の所在地を示し、それぞれ都道府県が選択肢である。「受験教科」とは、国語、地理歴史等に分類されて表示された科目を示し、国語表現、世界史Ａなどの科目が選択肢である。「偏差値」とは、所定の模擬試験の偏差値を示し、検索したい幅の偏差値、つまり、偏差値の最小値と最大値とを入力する。「学問」とは、いわば学部学科を示し、検索したい学問の系統を選択する。「学校種」および「受験科目」の入力領域に表示されている選択肢の選択は、選択肢の左側に表示されている□にチェックを入れ、他の項目はプルダウンメニューを表示させて選択する。
【００７０】
ユーザは、希望校条件入力画面ＷＩＮ０１において、「学校種」の選択肢の□にチェックを入れて学校種を選択し（ステップＳ１０）、「エリア」のプルダウンメニューから都道府県を選択し（ステップＳ１１）、「受験会場の希望エリア」のプルダウンメニューから都道府県を選択し（ステップＳ１２）、「受験教科」の選択肢の□にチェックを入れて受験教科を選択し（ステップＳ１３）、「偏差値」のプルダウンメニューから最小値および最大値を選択し（ステップＳ１４）、「学問」のプルダウンメニューから学問の系統を選択する（ステップＳ１５）。
【００７１】
ユーザは、希望校条件入力画面ＷＩＮ０１において、検索条件を選択し（ステップＳ１６：Ｎｏ）、全ての条件を選択すると（ステップＳ１６：Ｙｅｓ）、「希望校を表示する」と表示されているボタン１２を押下する。
【００７２】
大学選択サポート処理部２３００は、希望校条件入力画面ＷＩＮ０１においてボタン１２が押下されたことを検知すると、希望校条件入力画面ＷＩＮ０１に入力された検索条件をサーバ装置１０００に送信する。
【００７３】
サーバ装置１０００の希望校検索部１３００は、ユーザ端末装置２０００から検索条件を受信すると、受信した検索条件に合致する入試を、入試マスタ情報記憶部１７００に記憶されている受験マスタ情報テーブル１７１０（図３参照）から抽出する。希望校検索部１３００は、抽出した入試に関するデータを元に、希望校出力画面ＷＩＮ０２を作成し、ユーザ端末装置２０００に送信する（ステップＳ３０）。
【００７４】
図１１に、希望校出力画面ＷＩＮ０２の例を示す。希望校出力画面ＷＩＮ０２は、大学種を表示する領域２０、大学名を表示する領域２１、エリアを表示する領域２２、大学の入試一覧を表示する領域２３を有する。領域２３には、入試一覧として、学部ごとに、学科の入試情報が表形式で表示される。例えば、「学部・専攻名」として学部と学科の名称、学科毎に、「入試名」として「一般Ａ方式」等の入試の種類、「偏差値」としてボーダーの偏差値、「受験科目」として必須科目と選択科目、「出願配布」として願書の配布開始日、「出願受付」として願書の受付開始日、「出願締切」として願書の受付終了日、「試験日」として入試の実施日、「合格発表」として合格発表日、「入学手続締切」として入学手続きの最終日などが表示される。また、学科名の右側の□は、入試をお気に入りとして記憶するか否かを選択するための領域２４であり、この□にチェックを入れると、この入試はお気に入りに記憶される。
【００７５】
ユーザ端末装置２０００の大学選択サポート処理部２３００は、サーバ装置１０００から希望校出力画面ＷＩＮ０２を受信すると、希望校出力画面ＷＩＮ０２を入出力部２２００に表示させる（ステップＳ１７）。
【００７６】
希望校出力画面ＷＩＮ０２において、大学選択サポート処理部２３００は、領域２４にチェックが入ったことを検出すると（ステップＳ１８）、チェックがなされた入試の情報をお気に入り入試記憶部２４００に記憶させる（ステップＳ１９）。
【００７７】
＜オープンキャンパス処理＞
次に、オープンキャンパス処理を説明する。図６は、オープンキャンパス処理のフローチャートである。
【００７８】
希望する大学のオープンキャンパスカレンダーを作成しようとするユーザは、初期画面において、オープンキャンパス処理が対応付けられているボタンを押下する。オープンキャンパス処理が対応付けられているボタンの押下を検出した大学選択サポート処理部２３００は、オープンキャンパス処理の実行をサーバ装置１０００に指示する。
【００７９】
サーバ装置１０００の制御部１１００は、通信部１２００を介して、ユーザ端末装置２０００からオープンキャンパス処理の実行指示を受信すると、オープンキャンパス日程作成部１４００に実行を指示する。指示を受けたオープンキャンパス日程作成部１４００は、オープンキャンパス条件入力画面ＷＩＮ０３をユーザ端末装置２０００に送信する。
【００８０】
ユーザ端末装置２０００の大学選択サポート処理部２３００は、サーバ装置１０００からオープンキャンパス条件入力画面ＷＩＮ０３を受信し、入出力部２２００の表示部に表示させる。
【００８１】
図１２に、オープンキャンパス条件入力画面ＷＩＮ０３の例を示す。オープンキャンパス条件入力画面ＷＩＮ０３は、大学選択条件の入力領域３０、カレンダー作成条件の入力領域３１、「上記の条件で大学を探す」と表示されたボタン３２、「上記大学でカレンダーを作成する」と表示されたボタン３３、及び、「お気に入りでカレンダーを作成する」と表示されたボタン３４を有する。大学選択条件の入力領域３０は、検索項目として、「人気の大学グループ」、「学校種」、「エリア」、「偏差値」を有し、それぞれの検索項目に対応した入力領域に選択肢が表示されている。また、カレンダー作成条件の入力領域３１は、条件として、カレンダーに表示したい大学を指定する領域３１ａ、作成するカレンダーの期間を設定する入力領域３１ｂを有している。
【００８２】
図１３に、オープンキャンパスカレンダー画面ＷＩＮ０４の例を示す。オープンキャンパスカレンダー画面ＷＩＮ０４は、大学名表示領域４０と、日を表す矩形（マス）がマトリックスに配置されたカレンダーが表示される。大学名表示領域４０には、カレンダー内に表示されている大学名が表示される。カレンダーは、各曜日に割り当てられた７列が表示され、該当月の日数分のマスが表示される。マスには、その日にオープンキャンパスが開催される大学名およびキャンパス名が表示される（矢印４１参照）。開催されるキャンパスが複数ある場合は、「他」と表示される。尚、オープンキャンパスが開催されるすべてのキャンパス名を表示することとしても良い。
【００８３】
ユーザは、オープンキャンパス条件入力画面ＷＩＮ０３において、カレンダーに表示する大学を選択する（ステップＳ４０）。具体的には、大学選択条件の入力領域３０の選択肢から大学等の選択条件を入力し、「上記の条件で大学を探す」と表示されたボタン３２を押下する。「上記の条件で大学を探す」と表示されたボタン３２の押下を検出した大学選択サポート処理部２３００は、大学選択条件の入力領域３０に入力された条件をサーバ装置１０００に送信する。条件を受信したサーバ装置１０００のオープンキャンパス日程作成部１４００は、受信した条件に合致するオープンキャンパスをオープンキャンパス情報テーブル１８１０（図４参照）から抽出して、ユーザ端末装置２０００に送信する（ステップS５０）。選択された大学情報を受信した大学選択サポート処理部２３００は、カレンダー作成条件の入力領域３１のカレンダーに表示したい大学を指定する領域３１ａに表示する。そして、ユーザは、カレンダーに表示したい大学を指定する領域３１ａに表示された大学から、所望の大学を選択する。
【００８４】
次に、ユーザは、作成するカレンダーの期間を設定する入力領域３１ｂにおいて、カレンダーの表示月数として１ヶ月または２ヶ月を選択し（ステップＳ４１）、カレンダーの開始月を選択する（ステップＳ４２）。
【００８５】
そして、ユーザが「上記大学でカレンダーを作成する」と表示されたボタン３３を押下する。「上記大学でカレンダーを作成する」と表示されたボタン３３の押下を検出した大学選択サポート処理部２３００は（ステップＳ４３：Ｙｅｓ）、カレンダーに表示したい大学を指定する領域３１ａで選択された大学名と、作成するカレンダーの期間を設定する入力領域３１ｂで選択されたカレンダーの表示月数および開始月をサーバ装置１０００に送信する。
【００８６】
一方、ユーザが「お気に入りでカレンダーを作成する」と表示されたボタン３４を押下した場合は、選択サポート処理部２３００は（ステップＳ４３：Ｙｅｓ）、お気に入り入試記憶部２４００に記憶されている大学名と、作成するカレンダーの期間を設定する入力領域３１ｂで選択されたカレンダーの表示月数期および開始月をサーバ装置１０００に送信する。この場合、図６の破線の矩形で囲まれたステップＳ４０の処理は不要となる。
【００８７】
大学名、カレンダーの表示月数、及び、開始月を受信したサーバ装置１０００のオープンキャンパス日程作成部１４００は、受信した大学名で示されるオープンキャンパスの開催日程をオープンキャンパス情報記憶部１８００に記憶されているオープンキャンパス情報テーブル１８１０（図４参照）から抽出する（ステップＳ５１）。
【００８８】
次に、オープンキャンパス日程作成部１４００は、開始月カレンダーの表示データを作成する（ステップＳ５２）。詳細には、マトリックス状のカレンダーのテンプレートを基に、横軸に曜日を設定し、日に対応するマス（矩形）を該当月の日数分生成する。カレンダーの表示月数が２ヶ月の場合（ステップＳ５３：Ｙｅｓ）は、開始月の次の月のカレンダーを作成する（ステップＳ５４）。
【００８９】
そして、オープンキャンパス日程作成部１４００は、ステップＳ５１で抽出したオープンキャンパス情報を、作成したカレンダーに表示していく。詳細には、ユーザ端末装置２０００から受信した大学名を大学名表示領域４０に表示し、開始月の１日目から日毎に該当するマスの中に大学名等を表示する（ステップＳ５５）。
【００９０】
ここで、ステップＳ５５の処理（行事表示処理）を、図７を用いて説明する。図７は、行事表示処理のフローチャートである。オープンキャンパス日程作成部１４００は、該当日にオープンキャンパスを開催する大学がある場合、つまり、オープンキャンパス情報テーブル１８１０の日時１８１３として、該当日が設定されている場合（ステップＳ６０：Ｙｅｓ）、そのレコードの大学名１８１１として設定されている大学名を表示し（ステップＳ６１）、キャンパス１８１２として設定されているキャンパス名をマス内に表示する（ステップＳ６２：Ｙｅｓ、Ｓ６３）。同じ大学名が大学名１８１１として設定されているレコードがある場合（ステップＳ６４：Ｙｅｓ）は、その大学名の後に表示する。つまり、１つの大学の複数キャンパスでオープンキャンパスが開催される場合は、キャンパス名はまとめて大学名の後に表示する。オープンキャンパス情報テーブル１８１０の日時１８１３として、該当日が設定されている他の大学のテーブルがある場合には（ステップＳ６５：Ｙｅｓ）、ステップＳ６１〜Ｓ６４の処理を行い、大学名とキャンパス名を表示する。これで、図６のステップＳ５５の処理が終了する。
【００９１】
ステップＳ５５の行事表示処理を、開始月の最終日まで行い（ステップＳ５６：Ｙｅｓ）、表示月数分のカレンダーのマスに大学名とキャンパス名を表示する（ステップＳ５７：Ｙｅｓ）。
【００９２】
そして、オープンキャンパス日程作成部１４００は、マス内に表示可能な大学数よりも多くの大学名が表示されているマスがある場合には、大学名がマス内に表示されるようにマスの矩形サイズを変更する（ステップＳ５８）。
【００９３】
オープンキャンパスカレンダー画面ＷＩＮ０４の表示データを作成したオープンキャンパス日程作成部１４００は、作成した表示データをユーザ端末装置２０００に送信する。
【００９４】
表示データを受信したユーザ端末装置２０００の大学選択サポート処理部２３００は、オープンキャンパスカレンダー画面ＷＩＮ０４を入出力部２２００に表示する（ステップＳ４４）。
【００９５】
オープンキャンパスカレンダー画面ＷＩＮ０４を見たユーザは、カレンダーを印刷する場合には、「このページを印刷」と表示されたボタン４２を押下する。「このページを印刷」と表示されたボタン４２の押下を検出した大学選択サポート処理部２３００は、印刷サイズをユーザから取得し、取得したサイズのＤＴＰデータ（印刷データ）の作成依頼をサーバ装置１０００に送信する（ステップＳ４５：Ｙｅｓ）。
【００９６】
サーバ装置１０００の制御部１１００は、ＤＴＰデータの作成依頼を受信すると、ＤＴＰデータ作成部１９００に作成を依頼する。依頼を受けたＤＴＰデータ作成部１９００は、オープンキャンパス日程作成部１４００が作成したオープンキャンパスカレンダーの表示データを元にＤＴＰデータを作成し、作成したＤＴＰデータをユーザ端末装置２０００に送信する（ステップＳ５９）。
【００９７】
ユーザ端末装置２０００の大学選択サポート処理部２３００は、ＤＴＰデータを受信すると、プリンターに出力する。図１８に、印刷したオープンキャンパスカレンダー９９の例を示す。
【００９８】
＜入試スケジュール処理＞
次に、入試スケジュール処理を説明する。図８は、入試スケジュール処理のフローチャートである。
【００９９】
志望する大学の入試スケジュールチャートを作成しようとするユーザは、初期画面において、入試スケジュール処理が対応付けられているボタンを押下する。入試スケジュール処理が対応付けられているボタンの押下を検出した大学選択サポート処理部２３００は、入試スケジュール処理の実行をサーバ装置１０００に指示する。
【０１００】
サーバ装置１０００の制御部１１００は、通信部１２００を介して、ユーザ端末装置２０００から入試スケジュール処理の実行指示を受信すると、入試スケジュール作成部１５００に実行を指示する。指示を受けた入試スケジュール作成部１５００は、入試スケジュール条件入力画面ＷＩＮ０５をユーザ端末装置２０００に送信する。
【０１０１】
ユーザ端末装置２０００の大学選択サポート処理部２３００は、サーバ装置１０００から入試スケジュール条件入力画面ＷＩＮ０５を受信し、入出力部２２００の表示部に表示させる。
【０１０２】
図１４に、入試スケジュール条件入力画面ＷＩＮ０５の例を示す。入試スケジュール条件入力画面ＷＩＮ０５は、志望校入力領域５０、「上記の大学のスケジュールを見る」と表示されたボタン５１、及び、「お気に入りのスケジュールを見る」と表示されたボタン５２を有する。志望校入力領域５０は、志望大学および学部を選択する領域を複数有しており、また、受験会場の所在地（受験エリア）を選択する領域を有している。
【０１０３】
図１５に、入試スケジュールチャート画面ＷＩＮ０６の例を示す。入試スケジュールチャート画面ＷＩＮ０６は、いわゆるガントチャート形式で表示され、時間（月日）を横軸に取るとともに、複数の入試を縦軸に取り、各入試の願書配布期間、願書受付期間、試験日、発表日などを示すマーク（画像）が表示される。入試の行ごとにマークが表示され、図１５では、「願書取寄せ」と表示されたボタン６２が表示され、願書の配布開始日を示すマーク６３、願書の配布終了日を示すマーク６４、試験日を示すマーク６５が表示されている。「願書取寄せ」と表示されたボタン６２は、ユーザが願書を取り寄せたい場合に、押下する。また、「このページを印刷」と表示されたボタン６１は、ユーザが試験スケジュールを印刷したい場合に、押下する。
【０１０４】
尚、図１５では、ガントチャートの一部の月日が表示されており、月日の部分が画面に向かって左右にスクロール表示される。また、試験日が重なる（同じ日）場合、それらの試験日を示すマーク６５は、他の試験日のマークと態様を変えて、例えば、同じ日の試験日を示すマークの色は互いに同じ色で表示し、且つ、他の試験日のマークとは異なる色で表示される。
【０１０５】
ユーザは、入試スケジュール条件入力画面ＷＩＮ０５において、志望大学を選択し（ステップＳ７０）、志望学部を選択し（ステップＳ７１）、受験エリアを選択する（ステップＳ７２）。具体的には、志望校入力領域５０で志望大学、志望学部を選択し、受験エリアの都道府県を選択する。そして、ユーザは、「上記の大学のスケジュールを見る」と表示されたボタン５１を押下する。
【０１０６】
「上記の大学のスケジュールを見る」と表示されたボタン５１の押下を検出した大学選択サポート処理部２３００は（ステップＳ７３：Ｙｅｓ）、志望校入力領域５０で入力された大学名、学部名、受験エリア（都道府県）をサーバ装置１０００に送信する。
【０１０７】
一方、ユーザが「お気に入りのスケジュールを見る」と表示されたボタン５２を押下した場合は、選択サポート処理部２３００は（ステップＳ７３：Ｙｅｓ）、お気に入り入試記憶部２４００に記憶されている大学名、学部名、受験エリアをサーバ装置１０００に送信する。この場合、図８の破線の矩形で囲まれたステップＳ７０〜Ｓ７２の処理は不要となる。
【０１０８】
大学名、学部名、受験エリアを受信したサーバ装置１０００の入試スケジュール作成部１５００は、受信した大学名等で示される条件に合致した入試情報を入試マスタ情報記憶部１７００に記憶されている受験マスタ情報テーブル１７１０（図３参照）から抽出する（ステップＳ８０）。
【０１０９】
次に、入試スケジュール作成部１５００は、入試スケジュールチャートの枠を表示するデータを作成し、横軸に月日を割り当てる（ステップＳ８１）。
【０１１０】
そして、入試スケジュール作成部１５００は、ステップＳ８０で抽出した入試情報を元に、縦軸に入試を割り当てていく。詳細には、各行に、左側から大学名、学部名等を表示し（ステップＳ８２）、試験会場および都道府県名を表示し（ステップＳ８４：Ｙｅｓ、ステップＳ８３）、「願書取寄せ」と表示されたボタン６２を表示する（ステップＳ８４）。次に、入試スケジュール作成部１５００は、願書受付期間を示すマークを表示する（ステップＳ８６）。詳細には、願書の受付開始日を示すマーク６３を開始日の位置に表示し、願書の受付終了日を示すマーク６４を終了日の位置に表示し、開始日と終了日の間の日の位置にそれぞれ「＞」を表示する。また、入試スケジュール作成部１５００は、試験日を示すマーク６５等のマークを試験日の位置に表示する（ステップＳ８７）。更に、入試スケジュール作成部１５００は、合格発表日や入学手続期間を示すマークを表示する（ステップＳ８８、Ｓ８９）。
【０１１１】
すべての大学について入試スケジュールを表示すると（ステップＳ９０：Ｎｏ）、入試スケジュール作成部１５００は、作成した入試スケジュールチャート画面ＷＩＮ０６の表示データをユーザ端末装置２０００に送信する。
【０１１２】
表示データを受信したユーザ端末装置２０００の大学選択サポート処理部２３００は、入試スケジュールチャート画面ＷＩＮ０６を入出力部２２００に表示する（ステップＳ７４）。
【０１１３】
＜出願校選択処理＞
次に、出願校選択処理を説明する。図９は、出願校選択処理のフローチャートである。出願校選択処理と希望校選択処理とは、ユーザが選択条件を設定して大学等を検索する点は同じであるが、出願校選択処理は、更に、日程的に願書を提出可能な大学に絞り込んで検索できる点が異なる。従って、以下、出願校選択処理について、希望校選択処理との差異を主に説明する。
【０１１４】
実際に願書を提出する大学の入試を検索しようとするユーザは、初期画面において、出願校選択処理が対応付けられているボタンを押下する。ユーザ端末装置２０００の大学選択サポート処理部２３００は、サーバ装置１０００の出願校検索部１６００から、出願校条件入力画面ＷＩＮ０７を受信し、入出力部２２００に表示させる。
【０１１５】
図１６に、出願校条件入力画面ＷＩＮ０７の例を示す。出願校条件入力画面ＷＩＮ０７は、希望校条件入力画面ＷＩＮ０１（図１０参照）に、検索項目として「出願期間」の項目（矢印７０参照）を追加したものである。「出願期間」とは、ユーザが願書を出願しようとする期間（願書提出予定期間）である。従って、出願校検索部１６００は、この「出願期間」で選択された期間と、願書を受け付ける期間である願書受付期間とが、一部でも重なっている入試に絞り込むことになる。具合的には、願書提出予定期間開始日が願書受付終了日以前かつ、願書提出予定期間終了日が願書受付開始日以降である入試に絞り込まれる。
【０１１６】
ユーザは、出願校条件入力画面ＷＩＮ０７において、「学校種」、「エリア」、「受験会場の希望エリア」、「受験教科」、「偏差値」、「学問」の項目について条件を選択する（ステップＳ１０〜Ｓ１５）。そして、更に、「出願期間」について、期間の初日と最終日とを選択する（ステップＳ９１）。
【０１１７】
ユーザは、出願校条件入力画面ＷＩＮ０７において、全ての条件を選択すると（ステップＳ１６：Ｙｅｓ）、「出願校を表示する」と表示されているボタン７１を押下する。
【０１１８】
大学選択サポート処理部２３００は、出願校条件入力画面ＷＩＮ０７においてボタン７１が押下されたことを検知すると、出願校条件入力画面ＷＩＮ０７に入力された検索条件をサーバ装置１０００に送信する。
【０１１９】
サーバ装置１０００の出願校検索部１６００は、ユーザ端末装置２０００から検索条件を受信すると、受信した検索条件に合致する入試を、受験マスタ情報テーブル１７１０（図３参照）から抽出し、抽出した入試に関するデータを元に、出願校出力画面ＷＩＮ０８を作成し、ユーザ端末装置２０００に送信する（ステップＳ９２）。
【０１２０】
図１７に、出願校出力画面ＷＩＮ０８の例を示す。出願校出力画面ＷＩＮ０８は、希望校出力画面ＷＩＮ０２と同様に、大学種を表示する領域２０、大学名を表示する領域２１、エリアを表示する領域２２、領域２１で表示した大学の入試一覧を表示する領域２３を有する。また、学科名の右側の□は、入試をお気に入りとして記憶するか否かを選択するための領域２４であり、この□にチェックを入れると、この入試はお気に入りに記憶される。
【０１２１】
ユーザ端末装置２０００の大学選択サポート処理部２３００は、サーバ装置１０００から出願校出力画面ＷＩＮ０８を受信すると、出願校出力画面ＷＩＮ０８を入出力部２２００に表示させる（ステップＳ１７）。
【０１２２】
大学選択サポート処理部２３００は、領域２４にチェックが入ったことを検出すると（ステップＳ１８）、チェックがなされた入試の情報をお気に入り入試記憶部２４００に記憶させる（ステップＳ１９）。
【０１２３】
このように、受験サポートシステム１００では、受験生（ユーザ）は、様々な条件で入試を検索することができ、入試スケジュールを作成することができる。更に、オープンキャンパスの日程をカレンダーにしてみることができるので、出願前に、希望する大学のキャンパスを、漏れなく見学することが可能となる。
【０１２４】
実施形態では、オープンキャンパス処理、入試スケジュール処理において、オープンキャンパスカレンダー画面ＷＩＮ０４、入試スケジュールチャート画面ＷＩＮ０６を、サーバ装置１０００で作成することとしているが、サーバ装置１０００での検索の結果を基に、ユーザ端末装置２０００において画面作成処理の全部または一部を行うこととしても良い。
【０１２５】
本発明を表現するために、上述において図面を参照しながら実施形態を通して本発明を適切且つ十分に説明したが、当業者であれば上述の実施形態を変更及び／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１２６】
１００  受験サポートシステム
１０００  サーバ装置
１１００  制御部
１２００  ２１００  通信部
１３００  希望校検索部
１４００  オープンキャンパス日程作成部
１５００  入試スケジュール作成部
１６００  出願校検索部
１７００  入試マスタ情報記憶部
１８００  オープンキャンパス情報記憶部
１９００  ＤＴＰデータ作成部
２０００  ユーザ端末装置
２２００  入出力部
２３００  大学選択サポート処理部
２４００  お気に入り入試記憶部
【図１】
2018010478.tif 000003
【図２】
2018010478.tif 000004
【図３】
2018010478.tif 000005
【図４】
2018010478.tif 000006
【図５】
2018010478.tif 000007
【図６】
2018010478.tif 000008
【図７】
2018010478.tif 000009
【図８】
2018010478.tif 000010
【図９】
2018010478.tif 000011
【図１０】
2018010478.tif 000012
【図１１】
2018010478.tif 000013
【図１２】
2018010478.tif 000014
【図１３】
2018010478.tif 000015
【図１４】
2018010478.tif 000016
【図１５】
2018010478.tif 000017
【図１６】
2018010478.tif 000018
【図１７】
2018010478.tif 000019
【図１８】
2018010478.tif 000020